(57)【要約】      （修正有）【課題】支柱に棚板をがたなく取り付けることが可能な棚板取付機構を備えた陳列用什器を実現する。【解決手段】支柱３と、この支柱３に支持される棚板４と、この棚板４を前記支柱３に対して高さ位置変更可能に取り付ける棚板取付機構５とを具備してなる陳列用什器の棚板取付機構５に、前記支柱３における複数の高さ位置にそれぞれ設けられた係止部たるフック孔５１と、これらフック孔５１のいずれかに選択的に係り合った状態で前記支柱３の外面に添接され外面に下方に向かって漸次支柱から離れる方向に傾斜した傾斜面５２１ａを有する楔部材５２と、下面側に前記楔部材５２の上向端面５２１ｂに当接する当接面５３１ｂとして機能する部位及びこの当接面５３１ｂが前記上向端面５２１ｂに当接した段階で前記楔部材５２の傾斜面５２１ａに密接する筒状内周面５３２ａを有し上面側で前記棚板４を支持する棚取付部材５３とを備える。【選択図】図３
2014057812.tif 000002
【特許請求の範囲】
【請求項１】
支柱と、この支柱に支持される棚板と、この棚板を前記支柱に対して高さ位置変更可能に取り付ける棚板取付機構とを具備してなり、前記棚板取付機構が、前記支柱における複数の高さ位置にそれぞれ設けられた係止部と、これら係止部のいずれかに選択的に係り合った状態で前記支柱の外面に添接され外面に下方に向かって漸次支柱から離れる方向に傾斜した傾斜面を有する楔部材と、下面側に前記楔部材の上向端面に当接する当接面として機能する部位及びこの当接面が前記上向端面に当接した段階で前記楔部材の傾斜面に密接する筒状内周面を有し上面側で前記棚板を支持する棚取付部材とを具備してなることを特徴とする陳列用什器。
【請求項２】
前記支柱が、高さの異なる複数の棚取付位置に前記係止部であるフック孔をそれぞれ有してなる角柱パイプ状のものであり、前記楔部材が、前記支柱の４面にそれぞれ添接されその外面を前記傾斜面となる４枚の傾斜板からなるものであり、前記各傾斜板は、上部内面に前記フック孔に係り合う爪を有するとともに下部内面に前記支柱に当接して前記傾斜面の傾斜状態を維持するための弾性スペーサを有したものである請求項１記載の陳列用什器。
【請求項３】
前記棚取付部材が、前記支柱を貫通させるための貫通孔を有しその貫通孔の開口端面に前記楔部材の上向端面に当接する当接面を有した棚受板と、この棚受板の前記貫通孔及び前記当接面として機能する部位を包囲し得る位置に固設され内面を前記筒状内周面となすボス部材とを備えたものである請求項１又は２記載の陳列用什器。
【請求項４】
前記支柱が一本のみ設けられている請求項１、２又は３記載の陳列用什器。
【請求項５】
前記棚板の上面の外周部に欄干を取り付け可能である請求項１、２、３又は４記載の陳列用什器。
【発明の詳細な説明】
【技術分野】
【０００１】
本発明は、店舗等において物品の陳列に用いられる陳列用什器に関する。
【背景技術】
【０００２】
店舗等において物品の陳列に用いられる陳列用什器として、従来より、支柱と、この支柱に支持される棚板と、この棚板を前記支柱に対して高さ位置変更可能に取り付ける棚板取付機構とを具備してなるものが知られている。
【０００３】
このような陳列用什器の棚板取付機構としては、支柱の外方に接触するスリーブと、このスリーブに筒状内周面が密接するボス部材と、前記スリーブの下方に配され該スリーブを下方から支持する支持部材とを備えたものが知られている（例えば、特許文献１を参照）。この特許文献１記載の構成においては、前記スリーブを支柱に対して上下動させ、このスリーブの下方に前記支持部材を配することによりこの棚板取付機構及び該棚板取付機構に支持される棚板の上下方向の位置決めを行うようにしている。しかし、棚板上に物品を多数載置する場合において、このような構成を採用した場合載置した物品の荷重により棚板が下方にずれる不具合が発生しうる。
【０００４】
そこで、複数の高さ位置のいずれかに棚板を支持させる態様を採用するにあたって、このような不具合を解消すべく、以下のような構成が考えられている。すなわち、箇所に設定した前記支柱を囲う筒状内周面を有し上面側で前記棚板を支持する棚取付部材と、この棚取付部材を支柱における複数の高さ位置に選択的に係止するための係止要素とを備え、この係止要素として、前記支柱における複数の高さ位置にそれぞれ設けられた係止部である係止孔と、前記支柱の対向する面にそれぞれ設けられた前記係止孔を貫通する雄ねじ部材と、この雄ねじ部材に螺合させることにより前記棚取付部材を前記支柱にねじ止めする雌ねじ部材とを備えたものが考えられている。
【０００５】
ところが、このような構成を採用した場合、前記係止孔は前記雄ねじ部材を貫通させる必要があるため、この係止孔の径は前記雄ねじ部材の軸部の径よりも若干大きくする必要がある。また、前記棚取付部材の筒状内周面の内径も、支柱を通過させる必要があることから支柱の外径よりも若干大きくする必要がある。そのため、このような棚板取付機構を介して支柱に棚板を取り付けた場合、棚板ががたつくことがあるという不具合が発生しうる。
【先行技術文献】
【特許文献】
【０００６】
【特許文献１】実開昭６１−３４９５７号公報
【発明の概要】
【発明が解決しようとする課題】
【０００７】
本発明は以上の点に着目し、支柱に棚板をがたなく取り付けることが可能な棚板取付機構を備えた陳列用什器を実現することを目的とする。
【課題を解決するための手段】
【０００８】
以上の課題を解決すべく、本発明に係る陳列用什器は、以下に述べるような構成を有する。すなわち本発明に係る陳列用什器は、支柱と、この支柱に支持される棚板と、この棚板を前記支柱に対して高さ位置変更可能に取り付ける棚板取付機構とを具備してなり、前記棚板取付機構が、前記支柱における複数の高さ位置にそれぞれ設けられた係止部と、これら係止部のいずれかに選択的に係り合った状態で前記支柱の外面に添接され外面に下方に向かって漸次支柱から離れる方向に傾斜した傾斜面を有する楔部材と、下面側に前記楔部材の上向端面に当接する当接面として機能する部位及びこの当接面が前記上向端面に当接した段階で前記楔部材の傾斜面に密接する筒状内周面を有し上面側で前記棚板を支持する棚取付部材とを具備してなる。
【０００９】
このようなものであれば、前記棚取付部材の筒状内周面の内径を支柱の外径よりも大きくして支柱への取付の便を図りつつ、該棚取付部材の当接面を前記楔部材の上向端面に当接させることにより上下方向の位置決めを確実に行い、その上で該棚取付部材の筒状内周面を楔部材の傾斜面に密接させることにより棚取付部材及び棚板のがたつきを抑制することができる。さらに、楔部材を係止部に係り合わせて前記棚取付部材の筒状内周面を前記楔部材の傾斜面に密接させることにより、工具を用いることなく楔部材及び棚取付部材を支柱に取り付けることができ、この点からも取付作業の便を図ることができる。
【００１０】
前記支柱が、高さの異なる複数の棚取付位置に前記係止部であるフック孔をそれぞれ有してなる角柱パイプ状のものである際に好適な前記楔部材の態様として、この楔部材が、前記支柱の４面にそれぞれ添接されその外面を前記傾斜面となる４枚の傾斜板からなるものであり、前記各傾斜板は、上部内面に前記フック孔に係り合う爪を有するとともに下部内面に前記支柱に当接して前記傾斜面の傾斜状態を維持するための弾性スペーサを有したものが挙げられる。
【００１１】
前記棚取付部材の好適な態様として、前記支柱を貫通させるための貫通孔を有しその貫通孔の開口端面に前記楔部材の上向端面に当接する当接面を有した棚受板と、この棚受板の前記貫通孔及び前記当接面として機能する部位を包囲し得る位置に固設され内面を前記筒状内周面となすボス部材とを備えたものが挙げられる。
【００１２】
少ない部品点数でこのような陳列用什器を実現できる構成として、前記支柱が一本のみ設けられているものが挙げられる。
【００１３】
棚板上に載置した物品の脱落を防ぐようにするための構成として、前記棚板の上面の外周部に欄干を取り付け可能であるものが挙げられる。
【発明の効果】
【００１４】
本発明によれば、支柱に棚板をがたなく取り付けることが可能な棚板取付機構を備えた陳列用什器を実現することができる。
【図面の簡単な説明】
【００１５】
【図１】本発明の一実施形態に係る陳列用什器の全体斜視図。
【図２】同実施形態に係る陳列用什器の正面図。
【図３】図２におけるＡ−Ａ断面図。
【図４】同実施形態に係る陳列用什器の要部の分解斜視図。
【図５】同実施形態に係る陳列用什器の棚板及び棚取付部材の平面図。
【図６】同実施形態に係る陳列用什器の欄干の正面図及び側面図。
【図７】同実施形態に係る陳列用什器の欄干を取り付けた状態の全体斜視図。
【発明を実施するための形態】
【００１６】
本発明の一実施形態について、図１〜図７を参照しつつ以下に示す。
【００１７】
本実施形態の陳列用什器１は、図１〜図３に示すように、床面に接地するベース２と、このベース２から起立し１本のみ設けられた支柱３と、この支柱３に支持され欄干６を着脱可能に取り付け可能な棚板４と、この棚板４を前記支柱３に対して高さ位置変更可能に取り付ける棚板取付機構５とを具備する。
【００１８】
前記ベース２は、図１及び図２に示すように、本実施形態では直方体状をなすベース本体２１と、このベース本体２１の下面側に設けられており床面に接地する脚部２２と、前記ベース本体２１の上面側に設けられており上面に物品を載置可能な載置面部２３とを備えている。前記載置面部２３の平面視中央部には、図示は省略するが、支柱３を通過させるための支柱挿通孔を１箇所にのみ設けており、ベース本体２１内部の図示しない支柱支持機構により前記支柱３を支持している。
【００１９】
前記支柱３は、図１〜図４に示すように、金属製の角柱パイプ状のものであり、上述したようにベース２の平面視中央部から鉛直に起立している。また、この支柱３には、高さの異なる複数の棚取付位置を設定している。これら棚取付位置は、本実施形態では、図１及び図２に示すような欄干６を取り付けていない状態の棚板４を３箇所に取り付ける態様の棚板４の高さ位置、及び図７に示すような欄干６を取り付けている状態の棚板４を２箇所に取り付ける態様の棚板４の高さ位置にそれぞれ対応させて設定している。この支柱３には、後述する棚板取付機構５を構成するフック孔５１を、前記各棚取付位置に対応させて計５箇所に設けている。そして、この支柱３に、前記棚板取付機構５を介して棚板４を支持させている。
【００２０】
前記棚板４は、図１〜図３及び図５に示すように、木製の平面視矩形（正方形）状をなす板状の部材である。この棚板４の平面視中央には、前記支柱３を通過させることが可能な支柱挿通孔４ａを設けている。すなわち、この棚板４は、まず前記支柱３の上方にこの支柱挿通孔４ａを位置付き、その後棚板４を下方に落とし込んで前記支柱挿通孔４ａの内部に支柱３を位置させた状態とすることにより上方から支柱３に取り付けられるようにしている。また、この棚板４の上面すなわち物品載置面の外周縁部には、該物品載置面に載置した物品の落下を防止するための欄干６を取り付けるための欄干取付孔４ｂを設けている。前記欄干６は、前記棚板４の各辺ごとに取り付けられ、図６に示すように、網状をなし物品に当接して該物品の落下を防止する落下防止部たる網部６１と、この網部６１の上下両端部及び幅方向両端部をそれぞれ支持する枠部６２と、この枠部６２の下端から下方に延び前記欄干取付孔４ｂに挿入可能な取付突起６３とを備えている。ここで、図６の（ａ）および（ｂ）はそれぞれこの欄干の正面図及び側面図である。また、前記枠部６２のうち、幅方向一端部の上端からは、隣接する辺に取り付けるべき他の欄干６と接続するための接続突起６４を設けており、他端部には、さらに他の欄干６の前記接続突起６４と係り合わせることにより欄干６同士を接続するための筒状の突起受６５を隣接させて設けている。一方、この棚板４の下面には、前記棚板取付機構５の棚取付部材５３を取り付けるための雌ねじ部材である鬼目ナット４ｃを埋設している。なお、前記ベース２の載置面部２３は、下面に前記棚取付部材５３を取り付け可能でない点以外はこの棚板４と同様の構成を有し、前記欄干６を同様に取り付け可能である。そして、この棚板４は、前記棚板取付機構５を介して前記支柱３に支持される。
【００２１】
前記棚板取付機構５は、図３及び図４に示すように、前記支柱３における複数の前記棚取付位置、本実施形態では計５箇所にそれぞれ対応させて設けられた係止部であるフック孔５１と、これらフック孔５１のいずれかに選択的に係り合った状態で前記支柱３の外面に添接され外面に下方に向かって漸次支柱３から離れる方向に傾斜した傾斜面５２１ａを有する楔部材５２と、下面側に前記楔部材５２の上向端面５２１ｂに当接する当接面５３１ｂとして機能する部位及びこの当接面５３１ｂが前記上向端面５２１ｂに当接した段階で前記楔部材５２の傾斜面５２１ａに密接する筒状内周面５３２ａを有し上面側で前記棚板４を支持する棚取付部材５３とを具備してなる。
【００２２】
前記フック孔５１は、上述したように、また図２及び図７に示すように、欄干６を取り付けていない状態の棚板４を３箇所に取り付ける態様、及び欄干６を取り付けている状態の棚板４を２箇所に取り付ける態様の棚板４の高さ位置にそれぞれ対応させて前記支柱３に設けられている。また、このフック孔５１は、図３及び図４に示すように、支柱３の各起立面にそれぞれ設けられており、同一の高さ位置に２つずつ並列させて設けている。これら同一の高さ位置に並列する２つのフック孔５１が組となり同一の前記楔部材５２を構成する傾斜板５２１を係止する。
【００２３】
前記楔部材５２は、図３及び図４に示すように、板金加工により形成され、前記支柱３の外面に添接する４枚の傾斜板５２１からなる。この傾斜板５２１は、内面上部から前記支柱３に向かう側に突出し前記フック孔５１に係り合うことが可能な爪５２２と、前記楔部材５２本体の内面下部に設けられ前記支柱３に当接して前記傾斜面５２１ａの傾斜状態を維持するための弾性スペーサ５２３とを備えている。この弾性スペーサ５２３は、ゴムやスポンジ状素材といった材料で形成されていて、その厚さ寸法は、前記傾斜板５２１の爪５２２を前記フック孔５１に係り合わせた状態でこの弾性スペーサ５２３の表面が支柱３に添接し、傾斜板５２１の外面が下方に向かって漸次支柱３から離れる方向に傾斜した傾斜面５２１ａとなるように設定している。そして、後述するように、棚取付部材５３のボス部材５３２がこの楔部材５２の外方に達するとともに該棚取付部材５３の棚受板５３１の下面がこの楔部材５２、より詳細には前記傾斜板５２１の上向端面５２１ｂに衝き当たった状態では、弾性スペーサ５２３の弾性付勢力により楔部材５２の傾斜板５２１の下部が前記ボス部材５３２に向けて押圧されてこれら楔部材５２とボス部材５３２とが密接する。
【００２４】
前記棚取付部材５３は、図２〜図５に示すように、前記支柱３を貫通させるための貫通孔５３１ｃを有しその貫通孔５３１ｃの開口端面に前記楔部材５２の上向端面５２１ｂに当接する当接面５３１ｂを有した棚受板５３１と、この棚受板５３１の前記貫通孔５３１ｃ及び前記当接面５３１ｂとして機能する部位を包囲し得る位置に固設され内面を前記筒状内周面５３２ａとなすボス部材５３２とを備えている。この棚取付部材５３は、棚板４の下面に取り付けられ、棚板４を上方から支柱３に取り付ける際に棚板４に先立ってその内部に支柱３を通過させる。
【００２５】
前記棚受板５３１は、図３〜図５に示すように、平面視矩形（正方形）状をなす金属製の板状の部材であり、その中央には前記支柱３を貫通させるための貫通孔５３１ｃを設けている。また、前記貫通孔５３１ｃの各辺の中央から外方に離間した位置、及びこの棚受板５３１の四隅部には、前記棚板４の鬼目ナット４ｃに対応させて、該鬼目ナット４ｃに螺合させるべき雄ねじ部材を通過させるためのねじ挿通孔５３１ｄを設けている。すなわち、この棚受板５３１は、上面に前記棚板４を載置した状態で該棚板４にねじ止めされ、この棚板４を支持する。一方、この棚受板５３１の下面のうち、貫通孔５３１ｃの開口端面近傍は、前記楔部材５２の上向端面５２１ｂに当接する当接面５３１ｂとして機能する。そして、この棚受板５３１の下面のこの棚受板５３１の前記貫通孔５３１ｃ及び前記当接面５３１ｂを包囲し得る位置に、前記ボス部材５３２を溶接により固設している。
【００２６】
前記ボス部材５３２は、図３〜図５に示すように、内法寸法が前記支柱３の外法寸法及び前記棚受板５３１の貫通孔５３１ｃの内法寸法よりも大きな金属製の角パイプ状の部材である。このボス部材５３２は、上述したように、棚板４を取り付ける際に支柱３の外方を下方に向けて移動する。この移動の際にボス部材５３２の筒状内周面５３２ａが予め支柱３に取り付けられた前記楔部材５２の傾斜面５２１ａに接する位置まで移動すると、このボス部材５３２が楔部材５２の傾斜板５２１を内方に向けて押圧する。その際に前記楔部材５２の弾性スペーサ５２３が弾性変形し、前記傾斜板５２１を前記筒状内周面５３２ａに向けて押圧する弾性付勢力を蓄積する。その結果、傾斜面５２１ａが筒状内周面５３２ａに密接する。
【００２７】
すなわち、本実施形態によれば、前記棚取付部材５３の筒状内周面５３２ａの内径を支柱３の外径よりも大きくして支柱３への取付の便を図りつつ、該棚取付部材５３の当接面５３１ｂを前記楔部材５２の上向端面５２１ｂに当接させることにより上下方向の位置決めを確実に行い、その上で弾性スペーサ５２３の弾性付勢力を利用して該棚取付部材５３の筒状内周面５３２ａを楔部材５２の傾斜面５２１ａに密接させることにより棚取付部材５３及び棚板４のがたつきを抑制することができる。さらに、楔部材５２をフック孔５１に係り合わせて前記棚取付部材５３の筒状内周面５３２ａを前記楔部材５２の傾斜面５２１ａに密接させることにより、工具を用いることなく、楔部材５２及び棚取付部材５３を支柱３に取り付けることができ、この点からも取付作業の便を図ることができる。さらに、係止部である係止孔と該係止孔を貫通する雄ねじ部材と該雄ねじ部材に螺合させてなる雌ねじ部材とを備えた係止要素を用いる構成と異なり、雄ねじ部材のねじ頭が外部に露出することにより美観を損ねることがない。
【００２８】
また、支柱３が、高さの異なる複数の棚取付位置に前記係止部であるフック孔５１をそれぞれ有してなる角柱パイプ状のものであって、前記楔部材５２が、前記支柱３の４面にそれぞれ添接されその外面を前記傾斜面５２１ａとなる４枚の傾斜板５２１からなり、前記各傾斜板５２１が、上部内面に前記フック孔５１に係り合う爪５２２を有するとともに下部内面に前記支柱３に当接して前記傾斜面５２１ａの傾斜状態を維持するための弾性スペーサ５２３を有するので、支柱３の各面に添接させた各傾斜板５２１の下部がそれぞれ弾性スペーサ５２３の弾性付勢力を受けて筒状内周面５３２ａに密着するので、より効果的に棚板４のがた止めを行うことができる。また、棚板４上に載置した物品による荷重が大きな場合であっても、楔部材５２の傾斜面５２１ａが弾性スペーサ５２３からの弾性付勢力を受けて内方から棚取付部材５３の筒状内周面５３２ａに密着する構成であるので、楔部材５２と棚取付部材５３とが互いに食い込んで支柱３からの棚板４、楔部材５２及び棚取付部材５３の取り外しが困難になる不具合が発生しにくい。
【００２９】
さらに、前記棚取付部材５３が、前記支柱３を貫通させるための貫通孔５３１ｃを有しその貫通孔５３１ｃの開口端面に前記楔部材５２の上向端面５２１ｂに当接する当接面５３１ｂを有した棚受板５３１と、この棚受板５３１の前記貫通孔５３１ｃ及び前記当接面５３１ｂを包囲し得る位置に固設され内面を前記筒状内周面５３２ａとなすボス部材５３２とを備えているので、簡単な構成により上述したようながた止め効果を得ることができる。また、楔部材５２の上向端面５２１ｂと棚受板５３１の当接面５３１ｂとが衝き当たることにより棚取付部材５３がそれ以上下方に移動することを規制しているので、これら楔部材５２と棚取付部材５３とが互いに食い込み支柱３からの棚板４、楔部材５２及び棚取付部材５３の取り外しが困難になるという不具合が発生しにくい。
【００３０】
加えて、一本のみ設けた前記支柱３に棚板取付機構５を介して棚板４を取り付けるようにしているので、少ない部品点数でこのような陳列用什器１を実現できるとともに支柱３の外方の全周に亘って棚板４が存在するので、棚板４上に載置した物品の取り出しを支柱３に妨げられず行うことができる。
【００３１】
そして、前記棚板４の上面の外周部に欄干６を取り付け可能であるので、この欄干６により棚板４上に載置した物品の脱落を防ぐようにすることもできる。
【００３２】
なお、本発明は上述した実施形態に限らない。
【００３３】
例えば、上述した実施形態では、角柱状の支柱の４面にそれぞれ添接されその外面が前記傾斜面となる４枚の傾斜板からなる楔部材を採用しているが、例えば、断面視長方形状の支柱の長辺を形成する面にのみ添接されその外面が前記傾斜面となる２枚の傾斜板からなる楔部材を採用してもよい。また、六角柱状の支柱の６面にそれぞれ添接されその外面が前記傾斜面となる６枚の傾斜板からなる楔部材や、円柱状の支柱の外面にそれぞれ添接されその外面が前記傾斜面となる複数枚の傾斜板からなる楔部材を採用してもよい。円柱状の支柱の外面に添接させる傾斜板の形状は、円柱の側面を周方向に複数に分割することにより形成される形状のものが望ましい。
【００３４】
また、上述した実施形態では、楔部材は、フック孔に爪を係り合わせることにより支柱に添接可能となる傾斜板からなるが、楔部材には、下面側が棚取付部材の筒状内周面に密接可能な構成であればどのような構成を採用してもよい。例えば、上部を支柱にねじ止め可能であるとともに下部に弾性スペーサを備えた傾斜板からなる構成などが考えられる。
【００３５】
さらに、棚取付部材も、下面側に前記楔部材の上向端面に当接する当接面及びこの当接面が前記上向端面に当接した段階で前記楔部材の傾斜面に密接する筒状内周面を有し上面側で前記棚板を支持する構成のものであれば、上述した実施形態に係るものに限らず、どのような構成のものを採用してもよい。
【００３６】
そして、上述した実施形態では、欄干を設けない状態の棚板を支柱の３箇所に支持させる態様と欄干を取り付けた状態の棚板を支柱の２箇所に支持させる態様とを選択可能であり、これらの態様における計５箇所の棚取付位置に対応させて支柱にフック孔を設けているが、フック孔の設置態様は任意である。例えば、互いに隣接するフック孔同士が高さ方向に所定ピッチだけ離間するように支柱に多数のフック孔を設け、これらフック孔のいずれかに楔部材を構成する傾斜板を取り付け可能にする態様が考えられる。
【００３７】
加えて、複数本の支柱に棚板を支持させる態様の陳列用什器に、本発明に係る棚板取付機構を採用してもよい。
【００３８】
その他、本発明の趣旨を損ねない範囲で種々に変更してよい。
【符号の説明】
【００３９】
１…陳列用什器
３…支柱
４…棚板
５…棚板取付機構
５１…係止部（フック孔）
５２…楔部材
５３…棚取付部材
５３２ａ…筒状内周面
【図１】
2014057812.tif 000003
【図２】
2014057812.tif 000004
【図３】
2014057812.tif 000005
【図４】
2014057812.tif 000006
【図５】
2014057812.tif 000007
【図６】
2014057812.tif 000008
【図７】
2014057812.tif 000009